(57)【要約】【課題】回転子の浮上防止とともに、回転特性の低下を容易に防止するようにしたスピンドルモーターを提供する。【解決手段】溝部１１ａが形成されたシャフト１１；シャフト１１を回転可能に支持するようにベアリング２１を含む固定子２０；固定子２０に備えられたコア３１を含む電気子３０；シャフト１１の上部に設置され、コア３１と対向して配置されて電磁気力を発生させるメインマグネット１３を含む回転子１０；及び溝部１１ａに一端が挿入されて回転子１０の浮上を防止するストッパー２１ａ；を含み、ストッパー２１ａは、ベアリング２１の内部に配置される。【選択図】図１
2013132194.tif 000002
【特許請求の範囲】
【請求項１】
溝部が形成されたシャフト；
前記シャフトを回転可能に支持するようにベアリングを含む固定子；
前記固定子に備えられたコアを含む電気子；
前記シャフトの上部に設置され、コアと対向して配置されて電磁気力を発生させるメインマグネットを含む回転子；及び
前記溝部に一端が挿入されて回転子の浮上を防止するストッパー；
を含み、
前記ストッパーは、ベアリングの内部に配置されたことを特徴とするスピンドルモーター。
【請求項２】
溝部が形成されたシャフト；
前記シャフトを回転可能に支持するベアリングが内部に備えられたベアリングホルダー；
前記ベアリングホルダーが上部に設置され、回路基板を備えたベースプレート；
前記ベアリングホルダーの外部に備えられ、コイルが巻き取られたコア；
前記シャフトの上部に設置され、コアと対向して配置されるようにメインマグネットを備えたローターケース；及び
前記溝部に一端が挿入されてローターケースの浮上を防止するストッパー；
を含み、
前記ストッパーは、ベアリングの内部に配置されたことを特徴とするスピンドルモーター。
【請求項３】
前記ストッパーは、板（Ｐａｎｅｌ）状であることを特徴とする請求項２に記載のスピンドルモーター。
【請求項４】
前記ベアリングの内部には、水平方向に空間部が形成され、前記空間部にストッパーを備えたことを特徴とする請求項３に記載のスピンドルモーター。
【請求項５】
前記空間部は、ストッパーの厚さと相応するように形成されたことを特徴とする請求項４に記載のスピンドルモーター。
【請求項６】
前記空間部は、ベアリングの中心部を基準として下部に形成されたことを特徴とする請求項５に記載のスピンドルモーター。
【請求項７】
前記ベアリングの内部には、シャフトを中心に環状の空間部が形成され、前記空間部にストッパーが対向して配置されたことを特徴とする請求項３に記載のスピンドルモーター。
【請求項８】
前記空間部は、ストッパーの厚さと相応するように形成されたことを特徴とする請求項７に記載のスピンドルモーター。
【請求項９】
前記空間部は、ベアリングの中心部を基準として下部に形成されたことを特徴とする請求項８に記載のスピンドルモーター。
【請求項１０】
前記ローターケースの上部には、クランプを含むディスク固定装置が設置されたことを特徴とする請求項２に記載のスピンドルモーター。
【発明の詳細な説明】
【技術分野】
【０００１】
本発明は、スピンドルモーターに関する。
【背景技術】
【０００２】
スピンドルモーターは、シャフトがベアリングに対して一定の接触区間を維持しながら回転するため、回転特性を容易に維持することができるので、ハードディスクドライブ（Ｈａｒｄ  Ｄｉｓｋ  Ｄｒｉｖｅ：ＨＤＤ）、光ディスクドライブ（Ｏｐｉｃａｌ  Ｄｉｓｋ  Ｄｒｉｖｅ：ＯＤＤ）などの高速回転を必要とする記録媒体の駆動手段に広く用いられている。
【０００３】
このようなスピンドルモーターは、通常、電気子、前記電気子との間に電磁気力を形成するメインマグネット（Ｍａｉｎ  Ｍａｇｎｅｔ）を含む回転子、及び前記回転子を回転可能に支持する固定子を含んでいる。
【０００４】
また、前記回転子は、記録媒体のディスクを固定するために、ディスク固定装置を含むことができ、電気子とメインマグネットの間で発生する電磁気力によって、回転子が回転して前記ディスク固定装置に装着された記録媒体のディスクを記録及び再生するようにしている。
【０００５】
一方、前記スピンドルモーターは、前述したように、高速回転を必要としているため、その特性上、回転子が浮かび上がる問題点がある。これを解決するために、浮上防止構造を適用して設計している。通常のスリム型スピンドルモーターの場合、ストッパー（Ｓｔｏｐｐｅｒ）構造によって、前記回転子の浮上を防止している。
【０００６】
これについては、特許文献１に詳細に開示されている。すなわち、回転子が上部に設置されたシャフトの下端に陥没して形成されたリング状の縮小部を形成し、ベアリングホルダーの内部にストッパー（Ｓｔｏｐｐｅｒ）を設置して、前記ストッパーに縮小部がかかるようにすることで、回転子の浮上を防止している。
【０００７】
しかし、前記特許文献１などの従来技術に開示されているストッパーによる浮上防止構造は、シャフトとベアリングの接触面の長さを短縮させる結果につながる問題点がある。
【０００８】
すなわち、スピンドルモーターは、シャフトとベアリングの接触面によって軸系を構成しており、前記軸系の長さが長いほど回転子が安定的に回転することができ、外部セットとの特性面においても安全性を確保することができるが、前述したように、ストッパーで浮上防止構造を構成する場合、相対的に軸系の長さを短縮させるしかないため、回転の際に回転子の揺れ（Ｗｏｂｂｌｅ）現象が発生し、その寿命も短縮される。
【先行技術文献】
【特許文献】
【０００９】
【特許文献１】韓国公開特許第２０１１−００１０２３１号公報
【発明の概要】
【発明が解決しようとする課題】
【００１０】
したがって、本発明は、ストッパーを使って回転子の浮上を防止することによる軸系の短縮及びこれによる回転子の揺れ現象が発生する問題点と寿命が短縮される問題点を解決するためのものである。
【００１１】
本発明の目的は、回転子の浮上防止とともに、回転特性の低下を容易に防止するようにしたスピンドルモーターを提供することにある。
【課題を解決するための手段】
【００１２】
前記目的を達成するため、本発明は、溝部が形成されたシャフト；前記シャフトを回転可能に支持するようにベアリングを含む固定子；前記固定子に備えられたコアを含む電気子；前記シャフトの上部に設置され、コアと対向して配置されて電磁気力を発生させるメインマグネットを含む回転子；及び前記溝部に一端が挿入されて回転子の浮上を防止するストッパー；を含み、前記ストッパーは、ベアリングの内部に配置されたことを特徴とするスピンドルモーターを提供する。
【００１３】
また、前記目的を達成するため、本発明は、溝部が形成されたシャフト；前記シャフトを回転可能に支持するベアリングが内部に備えられたベアリングホルダー；前記ベアリングホルダーが上部に設置され、回路基板を備えたベースプレート；前記ベアリングホルダーの外部に備えられ、コイルが巻き取られたコア；前記シャフトの上部に設置され、コアと対向して配置されるようにメインマグネットを備えたローターケース；及び前記溝部に一端が挿入されてローターケースの浮上を防止するストッパー；を含み、前記ストッパーは、ベアリングの内部に配置されたことを特徴とするスピンドルモーターを提供する。
【００１４】
前記ストッパーは、板状であってもよい。
【００１５】
前記ベアリングの内部には、水平方向に空間部が形成され、前記空間部にストッパーを備えることが好ましい。
【００１６】
前記空間部は、ストッパーの厚さと相応するように形成されることが好ましい。
【００１７】
前記空間部は、ベアリングの中心部を基準として下部に形成されることが好ましい。
【００１８】
前記ベアリングの内部には、シャフトを中心に環状の空間部が形成され、前記空間部にストッパーが対向して配置されることが好ましい。
【００１９】
前記空間部は、ストッパーの厚さと相応するように形成されることが好ましい。
【００２０】
前記空間部は、ベアリングの中心部を基準として下部に形成されることが好ましい。
【００２１】
前記ローターケースの上部には、クランプを含むディスク固定装置が設置されることが好ましい。
【発明の効果】
【００２２】
本発明によれば、ベアリングの内部にストッパーが備えられるので、前記ベアリングとシャフトが面接触してなる軸系が短縮されることを防止することにより、回転子の浮上を防止することだけではなく、不安全な回転による揺れ（Ｗｏｂｂｌｅ）現状の発生を防止することができ、安定的な回転による寿命延長の効果がある。
【００２３】
また、本発明によれば、これによりスピンドルモーターの薄型化を容易に具現することができ、向上した品質の確保が可能であって信頼性を向上させることができる効果がある。
【図面の簡単な説明】
【００２４】
【図１】本発明の実施例によるストッパーを備えたスピンドルモーターを示す断面図である。
【図２】図１の要部を拡大して示す断面図である。
【図３】本発明によるストッパーの実施例を示す斜視図である。
【図４】本発明の他の実施例によるストッパーを備えたスピンドルモーターを示す断面図である。
【発明を実施するための形態】
【００２５】
本発明の目的、特定の利点及び新規の特徴は、添付図面に基づく以下の詳細な説明及び実施例からより明らかになるであろう。一方、本発明の説明において、本発明の要旨を不必要にあいまいにする関連の公知技術についての詳細な説明は省略する。
【００２６】
以下、本発明の実施例を、添付図面に基づいて詳細に説明すれば、次の通りである。
【００２７】
本発明によるスピンドルモーターは、図１に示すように、シャフト（Ｓｈａｆｔ）１１、前記シャフト１１を回転可能に支持するベアリング２１を含む固定子（Ｓｔａｔｏｒ）２０、前記固定子２０に備えられたコア（Ｃｏｒｅ）３１を含む電気子（Ａｒｍａｔｕｒｅ）３０、前記シャフト１１の上部に設置され、コア３１と対向して配置されたメインマグネット（Ｍａｉｎ  Ｍａｇｎｅｔ）１３を含む回転子（Ｒｏｔｏｒ）１０、及び前記回転子１０の浮上防止構造としてのストッパー（Ｓｔｏｐｐｅｒ）２１ａを含む。
【００２８】
すなわち、前記ストッパー２１ａは、周知のように、シャフト１１との干渉作用によって、回転子１０の浮上を防止することになる。このため、シャフト１１に溝部１１ａを形成し、前記溝部１１ａにストッパー２１ａの一端を挿入することになる。したがって、前記回転子１０の浮上の際、これと一緒にシャフト１１が浮かび上がる過程で、前記溝部１１ａがストッパー２１ａにかかることにより、浮上を防止することになる。
【００２９】
この際、従来技術のストッパーのように、ベアリングの下端に配置され、溝もシャフトの下端に形成されるものとは異なり、本発明によるストッパー２１ａは、ベアリング２１の内部に配置されることにより、シャフト１１との面接触によってなる軸系Ｈの長さが短縮されることを防止することができる（図２参照）。
【００３０】
前記軸系Ｈは、前述したように、ベアリング２１とシャフト１１の面接触によって構成されるが、従来技術のように、前記ベアリングの下部にストッパーが配置されてベアリング２１の全長が短縮される場合、結果として軸系が短縮されることにつながってスピンドルモーターの回転特性が不安定となり、回転子の揺れ（Ｗｏｂｂｌｅ）現象が発生することとなり、その寿命も短縮されてしまう。
【００３１】
したがって、本発明によるスピンドルモーター１は、ベアリング２１の延長によって軸系Ｈを最大限確保することができるように、前記ベアリング２１の内部にストッパー２１ａが配置されるものであり、シャフト１１に形成される溝部１１ａもストッパー２１ａに対応して上方に位置移動することが好ましい。
【００３２】
ここで、前記ストッパー２１ａを含むスピンドルモーター１の実施例を、具体的に説明すれば次のようである。
【００３３】
すなわち、図１または図４に示すように、溝部１１ａが形成されたシャフト１１を回転可能に支持するベアリング２１を含む固定子２０は、前記ベアリング２１がベアリングホルダー２２の内部に備えられ、前記ベアリングホルダー２２が電気子３０に外部電力を供給するための回路基板２３を備えたベースプレート２４の上部に設置される。
【００３４】
前記電気子３０は、ベアリングホルダー２２の外部にコア３１が備えられて具現され、このため、前記ベアリングホルダー２２の外部に段差部２２ａが階段状に形成されたものを示している。そして、前記コア３１には、ポール（Ｐｏｌｅ）によってコイル３２が巻き取られ、これにより、メインマグネット１３との間に電磁気力を発生させることにより、回転子１０を回転させる。
【００３５】
前記回転子１０は、シャフト１１の上部にローターケース（Ｒｏｔｏｒ  ｃａｓｅ）１２が設置され、コア３１と対面するように内側にメインマグネット１３が備えられる。すなわち、前記ローターケース１２は、シャフト１１に固定された固定部１２ａの下端からディスクが装着される円板部１２ｂを水平に折り曲げてから前記円板部１２ｂから下方に結合部１２ｃを折り曲げることになり、前記結合部１２ｃの内側にメインマグネット１３を備える。
【００３６】
このような形態のローターケース１２は、コア３１との空間を容易に確保することができるので、スピンドルモーター１の薄型化が容易である。そして、前記円板部１２ｂの上部にディスクを弾性的に装着するためのクランプ１４ａを含むディスク固定装置１４を容易に設置することができるので、前記ディスクを記録及び再生する過程でのエラー発生率が低下する。
【００３７】
したがって、このような回転子１０、電気子３０及び固定子２０を含むスピンドルモーター１は、回路基板２３を介して電気子３０に外部電力を供給することで、メインマグネット１３とコア３１の間で発生した電磁気力によって前記回転子１０が回転駆動して、ディスク固定装置１４にクランプ１４ａによって装着された記録媒体のディスクを容易に記録及び再生することができる。
【００３８】
また、この過程で、回転力によって回転子１０が上方に浮かび上がることを、ベアリング２１の内部に配置されたストッパー２１ａによって容易に防止することができ、前記ベアリング２１の延長で充分に確保した軸系Ｈによって、前記回転子１０の安定的な回転を誘導することができる。
【００３９】
一方、本発明によるストッパー２１ａは、実施例として、板（Ｐａｎｅｌ）状に形成されて提供され（図３参照）、これをシャフト１１が回転可能に設置されるベアリング２１の内部に備えて前記シャフト１１の溝部１１ａと対面するようにすることで、回転子１０の浮上を防止するとともに、前記ベアリング２１の長さを最大に確保して安定的な軸系Ｈを構成する（図２参照）。
【００４０】
また、前記ベアリング２１の内部には、実施例として、水平方向に空間部２１ｂが加工形成され、前記空間部２１ｂに板状のストッパー２１ａが備えられる。ここで、前記空間部２１ｂは、ストッパー２１ａの厚さと相応するように形成されることにより、前記ストッパー２１ａの過度な動きまたは離脱を防止することができる。
【００４１】
このような空間部２１ｂは、ベアリング２１の中心部Ｃを基準として下部に形成される（図２参照）ので、スピンドルモーターを全体として見ると、その下部でシャフト１１に形成された溝部１１ａとの干渉作用によって、回転子１０の浮上を防止する。
【００４２】
他の実施例としては、図４に示すように、前記ストッパー２１０ａがシャフト１１を中心に環状に形成された空間部２１０ｂに備えられて対向するように配置されるので、前記シャフト１１との干渉作用を倍加することができる。
【００４３】
すなわち、前記ベアリング２１の内部に環状の空間部２１０ｂを加工し、前記環状の空間部２１０ｂに板状のストッパー２１０ａを多数挿入して対向するように対称に配置するか、あるいは前記ストッパー２１０ａをリング状に形成した後に挿入することにより、シャフト１１の断面を基準として左右両側で干渉作用を引き起こすことで、回転子１０の浮上を安定的に防止することができる。
【００４４】
このような環状の空間部２１０ｂは、前述した実施例と同様に、ストッパー２１０ａの厚さと相応するように形成されて、前記ストッパー２１０ａの過度な動きまたは離脱を防止することになる。そして、前記環状の空間部２１０ｂは、ベアリング２１の中心部Ｃを基準として下部に形成され、スピンドルモーター１の下部で、シャフト１１に形成された溝部１１ａとの干渉作用によって、回転子１０の浮上を防止する。
【００４５】
以上、本発明を具体的な実施例に基づいて詳細に説明したが、これは、本発明を具体的に説明するためのもので、本発明によるスピンドルモーターは、これに限定されなく、本発明の技術的思想内で当該分野の通常の知識を持つ者によって多様な変形及び改良が可能であろう。本発明の単純な変形ないし変更は、いずれも本発明の範疇内に属するもので、本発明の具体的な保護範囲は、特許請求の範囲によって明らかに決まるであろう。
【産業上の利用可能性】
【００４６】
本発明は、回転子の浮上防止とともに、回転特性の低下を容易に防止するようにしたスピンドルモーターに適用可能である。
【符号の説明】
【００４７】
１    スピンドルモーター
１０    回転子
１１    シャフト
１１ａ    溝部
１２    ローターケース
１２ａ    固定部
１２ｂ    円板部
１２ｃ    結合部
１３    メインマグネット
１４    ディスク固定装置
１４ａ    クランプ
２０    固定子
２１    ベアリング
２１ａ、２１０ａ    ストッパー
２１ｂ、２１０ｂ    空間部
２２    ベアリングホルダー
２２ａ    段差部
２３    回路基板
２４    ベースプレート
３０    電気子
３１    コア
３２    コイル
Ｈ    軸系
Ｃ    中心部
【図１】
2013132194.tif 000003
【図２】
2013132194.tif 000004
【図３】
2013132194.tif 000005
【図４】
2013132194.tif 000006